(57)【特許請求の範囲】
【請求項１】
管状の処置具チャンネル，および上記処置具チャンネルに連続して形成され，上記処置具チャンネルに平行にのびるガイド溝を有する内視鏡，
外面上に螺旋状のガイド溝が形成された処置具，ならびに
上記処置具チャンネルに挿入可能な外径を有し，かつ上記処置具の通過を許す内径を有する円筒状本体と，上記円筒状本体の外面から外側に突出し上記内視鏡のガイド溝に移動可能に嵌合する第１のカムピンと，上記筒状本体の内面から内側に突出し上記処置具の螺旋状ガイド溝に螺合する第２のカムピンと，上記第１のカムピンに一端が固定されたガイドワイヤを備えるリング部材，
を備える内視鏡キット。
【請求項２】
上記リング部材は複数の第２のカムピンを備える，
請求項１に記載の内視鏡キット。
【請求項３】
上記処置具チャンネルに挿入可能な外径を有し，上記リング部材の円筒状本体が挿入可能な内径を有し，周面に上記リング部材の第１のカムピンの移動をガイドするスリットが形成された円筒状カバー部材をさらに備える，
請求項１または２に記載の内視鏡キット。
【発明の詳細な説明】
【技術分野】
【０００１】
この発明は内視鏡キットに関する。
【背景技術】
【０００２】
ＥＳＤ（内視鏡的粘膜下層剥離術，Endoscopic Submucosal Dissection），ＥＭＲ（内視鏡的粘膜切除術，Endoscopic MucosalResection）では，内視鏡に形成された処置具チャンネル（鉗子チャンネル）に種々の処置具が挿入され，内視鏡による観察下において様々な処置が行われる。処置具の種類（形態）によって処置具の先端部分を回転させてその向きを調整する必要となることがある。特許文献１には把持部を回転させることでシンクロワイヤを回転させ，シンクロワイヤの先端につながる鉗子部を回転させるものが記載されている。しかしながら，処置具の把持部（末端部）を回転操作して処置具先端を回転しようとしても，その回転操作に良好な応答性を持たせるのは難しい。
【０００３】
特許文献２には，シースに螺旋状に形成されたガイド溝に，先端にクリップを有する回転部材に設けられたガイド突起を嵌合させた内視鏡処置具が記載されている。ガイド突起がガイド溝に沿って移動し，これにより回転部材およびその先端のクリップが回転する。たとえば回転部材の基端部に操作ワイヤが接続され，この操作ワイヤを押し引きすることで回転部材およびその先端のクリップは回転する。しかしながら，この場合，操作ワイヤと回転部材とがつながっているので回転部材の回転に伴って操作ワイヤがねじれてしまい，扱いにくくなるおそれがある。
【先行技術文献】
【特許文献】
【０００４】
【特許文献１】特開２００５−２１８６２４号公報
【特許文献２】特開２００８−６１５９号公報
【発明の概要】
【０００５】
この発明は，内視鏡処置具をその軸を中心に回転させて任意の向きに応答性よく向けることができる，新規な構造を持つ内視鏡キットを提供することを目的とする。
【０００６】
この発明による内視鏡キットは，管状の処置具チャンネル，および上記処置具チャンネルに連続して形成され，上記処置具チャンネルに平行にのびるガイド溝を有する内視鏡，外面上に螺旋状のガイド溝が形成された処置具，ならびに上記処置具チャンネルに挿入可能な外径を有し，かつ上記処置具の通過を許す内径を有する円筒状本体と，上記円筒状本体の外面から上記筒状本体の外側に突出し上記内視鏡のガイド溝に移動可能に嵌合する第１のカムピンと，上記筒状本体の内面から内側に突出し上記処置具の螺旋状ガイド溝に螺合する第２のカムピンと，上記第１のカムピンに一端が固定されたガイドワイヤを備えるリング部材を備えている。リング部材の円筒状本体の外径は上記処置具チャンネルの内径よりも好ましくは小さい。また，リング部材の円筒状本体の内径は上記処置具の外径よりも好ましくは大きい。リング部材の円筒状本体の外径および内径は，内視鏡の処置具チャンネルの内径および処置具の外径に応じて適宜選択される。
【０００７】
リング部材の円筒状本体の外面から外側に突出する第１のカムピンに一端が固定されているガイドワイヤの他端を押し込むまたは引っ張ると，リング部材が内視鏡の処置具チャンネル内を移動する。第１のカムピンは内視鏡の処置具チャンネルに連続して形成され，処置具チャンネルに平行にのびるガイド溝に嵌合しているので，リング部材は上記ガイド溝に沿って処置具チャンネル内をその軸方向に移動し，処置具チャンネル内で回転することはない。リング部材の筒状本体の内面から内側に突出する第２のカムピンが円筒状処置具の外面に形成されている螺旋状ガイド溝に螺合しているので，リング部材が処置具チャンネル内を軸方向に移動すると，第２のカムピンは処置具の外面の螺旋状ガイド溝に沿って摺動し，これにより処置具はその軸を中心に回転する。ガイドワイヤの押込みおよび引っ張りにしたがって，内視鏡処置具を任意の向きに応答性よく向けることができる。内視鏡処置具の回転はガイドワイヤに伝わらないので，ガイドワイヤに捻れ等が生じることもない。
【０００８】
複数の第２のカムピンを上記リング部材に設けてもよい。リング部材と処置具との螺合を確実なものとすることができる。この場合，処置具には複数の第２のカムピンのそれぞれに対応する複数の螺旋状ガイド溝が形成されるのは言うまでもない。
【０００９】
一実施態様では，上記処置具チャンネルに挿入可能な外径を有し，上記リング部材の円筒状本体が挿入可能な内径を有し，外面に上記リング部材の第１のカムピンの移動をガイドするスリットが形成された円筒状カバー部材をさらに備える。スリットによってリング部材の移動の範囲を制限することができるので，内視鏡の処置具チャンネルおよびガイド溝に入れられたリング部材が，内視鏡先端が脱落してしまうことが防止される。
【図面の簡単な説明】
【００１０】
【図１】内視鏡キットの斜視図である。
【図２】図１のII−II線に沿う横断面図である。
【図３】図１のIII-III線に沿う縦断面図である。
【図４】他の実施例を示すもので，図２に相当する横断面図である。
【図５】さらに他の実施例を示すもので，カバー部材を備える内視鏡キットの斜視図である。
【実施例】
【００１１】
図１は内視鏡キットの斜視図である。図２は図１のII−II線に沿う横断面図であり，後述するリング部材20を内視鏡処置具30に組み付け，これを内視鏡挿入部の処置具チャンネル13およびガイド溝13ａに挿入した状態の横断面を示している。図３は図１のIII−III線に沿うリング部材20の縦断面図である。
【００１２】
内視鏡キットは，内視鏡と，リング部材20と，内視鏡処置具30とから構成される。内視鏡は体内に挿入される内視鏡挿入部10と，内視鏡挿入部10に連続する内視鏡操作部（図示略）とから構成されるもので，図１には内視鏡挿入部10の先端部が示されている。
【００１３】
内視鏡挿入部10はその全体にわたって細長く延びる外観を持ち，そのほぼ全体が可撓性を有している。内視鏡操作部に設けられているアングル・ノブを用いて，内視鏡挿入部10の先端部付近は上下左右に湾曲操作することができる。
【００１４】
内視鏡挿入部10の先端面には，撮像光学系の観察窓11，上記観察窓11の両側にそれぞれ設けられた光照射口12Ｌ，12Ｒ，および断面円形の管状の処置具チャンネル13の開口（出口）が設けられている。処置具チャンネル13は，内視鏡挿入部10の全体にわたってその内部に形成されており，内視鏡操作部の処置具挿入口（図示略）にまで延びている。観察窓11の内側（内視鏡挿入部10の先端部分の内部）に撮像素子を含む撮像装置（図示略）が設けられている。撮像装置は内視鏡挿入部10の全体にわたって延びる信号ケーブル（図示略）に接続されており，観察窓11を通して撮像装置によって撮像される画像データが信号ケーブルを通して画像処理装置（図示略）に与えられて撮像される画像が表示される。光照射口12Ｌ，12Ｒの内側には，内視鏡挿入部10の全体にわたって延びる光ファイバ（図示略）の先端が位置しており，光ファイバを通して伝達される光が光照射口12Ｌ，12Ｒから出射される。
【００１５】
内視鏡挿入部10には，断面円形の処置具チャンネル13に連続するガイド溝13ａが，処置具チャンネル13と平行に処置具チャンネル13の長手方向に形成されている。ガイド溝13ａの断面は矩形であり（図２参照），このガイド溝13ａに，次に説明するリング部材20の第１のカムピン22が嵌合される。ガイド溝13ａは内視鏡挿入部10の全体にわたって形成されている必要はなく，内視鏡挿入部10の先端部分付近に形成されていればよい。
【００１６】
図１および図３を参照して，リング部材20は，円筒状の筒状本体21を含み，筒状本体21の外面から外側に突出する第１のカムピン22が筒状本体21と一体に形成されている。第１のカムピン22は筒状本体21の外面において筒状本体21の長さ方向の全体にわたって形成されている。第１のカムピン22にはガイドワイヤ25の一端が埋め込まれて固定されている。リング部材20の筒状本体21の外径は内視鏡10の処置具チャンネル13の内径とほぼ一致している（わずかに小さくてもよい）。また，リング部材20の第１のカムピン22は，その横断面の形状が内視鏡挿入部10のガイド溝13ａの断面形状とほぼ一致している（わずかに小さい相似形でもよい）。リング部材20は，その後端側から内視鏡挿入部10の処置具チャンネル13およびガイド溝13ａ内に挿入される。
【００１７】
筒状本体21の先端（前端）側の開口部分に，筒状本体21の内面から内側に突出する第２のカムピン23が筒状本体21と一体に形成されている。第２のカムピン23は，次に説明する処置具30の外面に形成された螺旋状のガイド溝に螺合される。
【００１８】
内視鏡処置具30は，円柱部31と，円柱部31の先端部分に固定され，円柱部31の先端面から突出する処置具本体（たとえばナイフ）33を備える。円柱部31の外周面に螺旋状のガイド溝32が形成されており，この螺旋状ガイド溝32に上述のリング部材20の第２のカムピン23が螺合される。螺旋状ガイド溝32は円柱部31の全体に形成する必要はなく，その先端部分のみに形成されていればよい。処置具30（円柱部31）の外径はリング部材20の筒状本体21の内径とほぼ一致している（わずかに小さくてもよい）。
【００１９】
処置具30がリング部材20内（内周面24）に通され，処置具30の円柱部31の外周面に形成されている螺旋状ガイド溝32にリング部材20の第２のカムピン23が嵌め込まれることで，処置具30にリング部材20が組み付けられる。処置具30と一体とされたリング部材20が内視鏡挿入部10の処置具チャンネル13に挿入される。このとき，リング部材20の第１のカムピン22はガイド溝13ａに嵌合される。これにより処置具30およびリング部材20が内視鏡挿入部10内に納められる。リング部材20の第１のカムピン22に一端が固定されているガイドワイヤ25は，処置具チャンネル13（またはガイド溝13ａ）を通されて内視鏡操作部側でその他端が内視鏡の外に出される。
【００２０】
内視鏡操作部側でガイドワイヤ25を処置具チャンネル13に向けて押込むまたは引っ張ると，ガイドワイヤ25の一端が固定されているリング部材20は処置具チャンネル13内を移動する。リング部材20の第１のカムピン22が処置具チャンネル13と平行に伸びるガイド溝13ａに嵌合しているので，リング部材20はこのガイド溝13ａに沿って処置具チャンネル13の軸方向に移動し，リング部材20が処置具チャンネル13内で回転してしまうことはない。
【００２１】
リング部材20が移動すると，リング部材20の第２のカムピン23が処置具30の外面に形成されている螺旋状ガイド溝32に沿って摺動する。これにより処置具30はその軸（断面中心）を中心にして回転する。このようにガイドワイヤ25を押込むまたは引っ張ることによって，処置具30（処置具本体33）を回転させて任意の向きに応答性よく向けることができる。
【００２２】
内視鏡挿入部10の先端からリング部材20が脱落しないように，内視鏡操作部側において，ガイドワイヤ25に目印（それ以上ガイドワイヤ25を押込むとリング部材20が内視鏡先端から脱落するおそれがあることを知らせるもの）を設けてもよい。もちろん，ガイドワイヤ25の過度の押込みを阻止するストッパをガイドワイヤ25の他端に取り付けておいてもよい。
【００２３】
図４は他の実施例を示すもので，図２に相当する横断面図である。
【００２４】
図４に示すように，リング部材20の筒状本体21の内面に複数の第２のカムピン23を内側に向けて形成し，複数の第２のカムピン23のそれぞれを処置具30の螺旋状ガイド溝32にそれぞれ螺合させるようにしてもよい。リング部材20と処置具30との螺合を確実なものとすることができる。この場合，処置具30（その円柱部31）の外面には，複数の第２のカムピン23のそれぞれが螺合する複数の螺旋状ガイド溝32が形成されるのは言うまでもない。
【００２５】
図５はさらに他の実施例の内視鏡キットを示すものである。上述したリング部材20および処置具30に加えて，円筒状のカバー部材40を備えている。図５において内視鏡挿入部10の図示は省略されている。
【００２６】
カバー部材40の挿通管路41の径（カバー部材40の内径）はリング部材20の筒状本体21が通る内径を持つ。また，カバー部材40の外径は内視鏡挿入部10の処置具チャンネル13（図１参照）の内径とほぼ等しい。カバー部材40の先端部分の周面には直線状のスリット42が形成されている。カバー部材40の挿通管路41にリング部材20および処置具30が通され，カバー部材40の周面のスリット42にリング部材20の第１のカムピン22が通される。リング部材20の第１のカムピン22は，スリット42を通してカバー部材40の外に出る。
【００２７】
カバー部材40，リング部材20および処置具30が一体とされ，これが内視鏡挿入部10（処置具チャンネル13およびガイド溝13ａ）に入れられる。直線状スリット42によってリング部材20（第１のカムピン22）の移動位置（範囲）が制限されるので，リング部材20が内視鏡挿入部10の先端から脱落することが防止される。
【符号の説明】
【００２８】
10  内視鏡
13  処置具チャンネル
13ａ  ガイド溝
20  リング部材
22  第１のカムピン
23  第２のカムピン
30  処置具
40  カバー部材
42  スリット
【図１】
0005469116.tif 000002
【図２】
0005469116.tif 000003
【図３】
0005469116.tif 000004
【図４】
0005469116.tif 000005
【図５】
0005469116.tif 000006